(57)【要約】【課題】サービスプロバイダが高品質かつ映像効果の高いＡＶデータを提供し、しかも、ユーザーが意図したデータを素早くかつ快適に入手できる配信システムを提供する。【解決手段】第１データ群を第１通信チャンネル経由で受信し、前記第１データにアクセスした時に第２データ群を第２通信チャンネル経由で強制的に受信し、前記第１データ群を第１再生方法で第１再生データに復元し、前記第２データ群を第２再生方法で第２再生データで復元し、前記第１再生データと前記第２データとを同時に同一の画面に表示する。【選択図】図２
2007104698.tif 000002
【特許請求の範囲】
【請求項１】
第１データ群を第１通信チャンネル経由で受信し、
前記第１データにアクセスした時に第２データ群を第２通信チャンネル経由で強制的に受信し、
前記第１データ群を第１再生方法で第１再生データに復元し、
前記第２データ群を第２再生方法で第２再生データに復元し、
前記第１再生データと前記第２データとを同時に同一の画面に表示することを特徴とするデータ受信装置。
【請求項２】
第１通信チャンネルと第２通信チャンネルは異なる通信チャンネルであることを特徴とする請求項１記載のデータ受信装置。
【請求項３】
第２通信チャンネルは、第１通信チャンネルより通信帯域が大きいことを特徴とする請求項１または２記載のデータ受信装置。
【請求項４】
第２データ群のデータ量は第１データ群のデータ量より多いことを特徴とする請求項１から３いずれか記載のデータ受信装置。
【請求項５】
第２データ群は、全ての受信端末に共通するデータであることを特徴とする請求項１から４いずれか記載のデータ受信装置。
【請求項６】
第１データ群は受信端末によって異なることを特徴とする請求項１から５いずれか記載のデータ受信装置。
【請求項７】
第１データ群を第１通信チャンネル経由で受信し、
前記第１データにアクセスした時に第２データ群を第２通信チャンネル経由で強制的に受信し、
前記第１データ群を第１再生方法で第１再生データに復元し、
前記第２データ群を第２再生方法で第２再生データに復元し、
前記第１再生データと前記第２データとを同時に同一の画面に表示するデータ受信装置であり、
前記第１再生データを前記画面の第１領域に表示し、前記第２再生データを前記画面の第２領域に表示することを特徴とするデータ受信装置。
【請求項８】
第１データ群を第１通信チャンネル経由で受信し、
前記第１データにアクセスした時に第２データ群を第２通信チャンネル経由で強制的に受信し、
前記第１データ群を第１再生方法で第１再生データに復元し、
前記第２データ群を第２再生方法で第２再生データに復元し、
前記第１再生データと前記第２データとを同時に同一の画面に表示するデータ受信装置であり、
前記第２データ群を、蓄積メディアに蓄積し、前記第１通信チャンネル経由で前記第１データ群にアクセスした場合、強制的に前記蓄積された第２データ群を第２再生方法で第２再生データに復元し、第１データ群と前記第２再生データと同時に表示することを特徴とするデータ受信装置。
【請求項９】
第１データ群を第１通信チャンネル経由で受信し、
前記第１データ群にアクセスした時に第２データ群を第２通信チャンネル経由で受信し、
前記第１データ群を第１再生方法で第１再生データに復元し、
前記第２データ群を第２再生方法で第２再生データに復元し、
前記第１再生データと前記第２データとを同時に同一の画面に表示するデータ受信装置であり、
第２データ群にデータ識別情報が付加され、前記第１再生データと同時に表示される前記第２再生データのデータ識別情報を、第３通信チャンネル経由でデータ識別情報処理サーバーに伝送することを特徴とするデータ受信装置。
【請求項１０】
第３通信チャンネルは第１通信チャンネルであることを特徴とする請求項９記載のデータ受信装置。
【請求項１１】
第１データ群を第１通信チャンネル経由で受信し、
前記第１データ群にアクセスした時に第２データ群を第２通信チャンネル経由で受信し、
前記第１データ群を第１再生方法で第１再生データに復元し、
前記第２データ群を第２再生方法で第２再生データに復元し、
前記第１再生データと前記第２再生データとを同時に同一の画面に表示するデータ受信装置にデータを配信するデータ配信システムであって、
第２データ群にデータ識別情報が付加され、前記第１再生データと同時に表示される前記第２再生データのデータ識別情報を、第３通信チャンネル経由でデータ識別情報処理サーバーに伝送し、
前記サーバーにおいて、前記第２データ群のデータ識別情報にもとづき、第２データ群の提供者の情報を取得し、前記提供者に対し、表示料金を課すことを特徴とするデータ配信システム。
【請求項１２】
第１データ群を第１通信チャンネル経由で受信し、
前記第１データ群にアクセスした時に第２データ群を第２通信チャンネル経由で受信し、
前記第１データ群を第１再生方法で第１再生データに復元し、
前記第２データ群を第２再生方法で第２再生データに復元し、
前記第１再生データと前記第２データとを同時に同一の画面に表示するデータ受信装置であり、
前記第１再生データの表示開始時間と表示終了時間を記録し、
前記表示開始時間と表示終了時間を第３通信チャンネル経由で情報処理サーバーに送信することを特徴とするデータ受信装置。
【請求項１３】
第３通信チャンネルは第１通信チャンネルであることを特徴とする請求項１２記載のデータ受信装置。
【請求項１４】
第１データ群を第１通信チャンネル経由で受信し、
前記第１データ群にアクセスした時に第２データ群を第２通信チャンネル経由で受信し、
前記第１データ群を第１再生方法で第１再生データに復元し、
前記第２データ群を第２再生方法で第２再生データに復元し、
前記第１再生データと前記第２再生データとを同時に同一の画面に表示するデータ受信装置にデータを配信するデータ配信システムであって、
前記第１再生データの表示開始時間と表示終了時間を記録し、
前記表示開始時間と表示終了時間を第３通信チャンネル経由で情報処理サーバーに送信し、
前記情報処理サーバーにおいて、前記表示開始時間と表示終了時間の間に第２チャンネル経由で伝送された第２データを特定し、特定した第２データの提供者に関する情報を取得し、前記提供者に対し、表示料金を課すことを特徴とするデータ配信システム。
【請求項１５】
コンピュータにより、請求項１記載のデータ受信装置において前記第１再生データと前記第２再生データとを同時に同一の画面に表示する処理を行うためのプログラムを格納したデータ記憶媒体であって、
上記プログラムはコンピュータに、請求項１の処理を行わせるものであることを特徴とするデータ記憶媒体。
【請求項１６】
コンピュータにより、請求項１１ないし１４の表示料金を課す処理を行うためのプログラムを格納したデータ記憶媒体であって、
上記プログラムはコンピュータに、請求項１１ないし１４の処理を行わせるものであることを特徴とするデータ記憶媒体。
【発明の詳細な説明】
【技術分野】
【０００１】
本発明は、データ受信装置及びデータ配信システムに関するもので、特に狭帯域の個人情報と広帯域の共通情報をあわせたデータ配信に関するものである。
【背景技術】
【０００２】
近年、商用のインターネット利用人口が急激に増大している。従来はアナログの公衆電話回線を用いて、ＰＰＰのダイヤルアップ接続で、サービスプロバイダに接続し、インターネットにアクセスする。電話回線を用いたアクセスは、最大５６ｋｂｐｓの伝送速度しかなかった。ＩＳＤＮやＰＨＳを利用した場合は、６４ｋｂｐｓから１２８ｋｂｐｓ（６４ｋｂｐｓ×２）の接続が一般的である。
【０００３】
最近、広帯域アクセス網が登場し、３８４ｋｂｐｓ以上の商用インターネットアクセスが可能になっている。その中でケーブルテレビの回線を経由したインターネットアクセスサービスは、３０Ｍｂｐｓ程度の伝送速を複数のユーザーに共用してもらう仕組みになっている。ケーブルインターネットに次いでｘＤＳＬが注目されている。ｘＤＳＬは方式と通信距離によってサービスプロバイダからユーザーまでの伝送速度は２から３Ｍｂｐｓ以下になる。現時点では商用に提供しているＡＤＳＬは帯域が数百ｋｂｐｓ程度である。同様に衛星や光ファイバを用いたアクセス方式においても、数Ｍｂｐｓの帯域を共用する仕組みになっている。
【０００４】
アクセス網の広帯域化に合わせて、サービスプロバイダが提供するコンテンツが豊富になってきている。動画に近いコンテンツや、広帯域を要するビデオコンテンツ、高音質の音楽コンテンツが増えてきている。例えば、複数の静止画像を組み合わせてスライドショーの技法で擬似的にバナー広告を提供することにより、宣伝効果を向上し、広告料による収入を増やし、ユーザーへのサービス料を軽減する。
【０００５】
今後の状況を考慮すると、データ受信装置においては、サービスプロバイダが高品質かつ映像効果の高いＡＶデータを提供すると同時に、ユーザーが意図したデータを素早くかつ快適に入手できる環境が要求されている。
【発明の開示】
【発明が解決しようとする課題】
【０００６】
ところが、高品質かつ映像効果の高いＡＶデータはファイルサイズが大きいため、ダウンロードするには時間がかかり、また実時間で配信するには伝送帯域幅を多く必要とする。サービスプロバイダがこのような動画バナーをはじめとする広告を提供すると、ユーザーが意図的に入手したいデータが表示するまでには時間がかかる。ユーザーのアクセス環境を考慮すると、インターネットにおけるデータ配信が広帯域化されているといえども、データ量が一段低いコンテンツを伝送しなければならない。
【０００７】
この理由は、広帯域なアクセス網を用いる場合でも、同じ帯域を共用するために、複数のユーザーが一斉にアクセスすると実行速度は遅くなり、狭帯域に近いアクセス環境になるからである。すなわち、特にアクセスのピーク時においてデータの受信に時間がかかることになる。
【０００８】
また高品質かつ映像効果の高いＡＶデータは、ユーザーがアクセスするたびに伝送されるので、同じコンテンツが複数ネットワーク上で流れることになり、バックボーンのトラフィックが増大することになる。
【０００９】
一方、ケーブルテレビなどの広帯域アクセス網は登場しているが、一部の地域に限定しており、狭帯域回線網のほうがカバーレッジはずっと広い。そのために高品質かつ映像効果の高いＡＶデータを提供することが難しい。
【００１０】
本発明は、サービスプロバイダが高品質かつ映像効果の高いＡＶデータを提供し、しかも、ユーザーが意図したデータを素早くかつ快適に入手できる配信システムを提供することを目的とする。
【課題を解決するための手段】
【００１１】
上記の問題点を解決するためには、共通のデータ、特に映像などのように広帯域を要するデータを、広帯域のチャンネルで一斉に同時放送し、比較的にデータ量の少ないユーザー個人データは狭帯域のチャンネルでアクセスするデータ受信装置を提供する。このように伝送された共通データと個人データは、同じに同じ表示画面の異なる領域に表示する。共通データの表示によりデータ提供者に対し、データ提示料を自動的に徴収する機能にも対応する。具体的には、下記のように行なう。
【００１２】
データ受信装置は、第１データ群を第１通信チャンネル経由で受信し、前記第１データにアクセスした時に第２再生データ群を第２通信チャンネル経由で強制的に受信し、前記第１データ群を第１再生方法で第１再生データに復元し、前記第２データ群を第２再生方法で第２再生データで復元し、前記第１再生データと前記第２再生データとを同時に同一の画面に表示することを特徴とする。
【００１３】
上記構成をとることにより、第１再生データを画面に表示している時には、第２再生データが強制的に画面に表示されることになる。したがって、第２再生データをユーザーに強制的に見せることができ、特に第２再生データが広告のようなものである場合、その広告が強制的に利用者に供給されることから、広告提供者は広告による効果が向上することが期待できる。
【００１４】
上記データ受信装置において、第１通信チャンネルと第２通信チャンネルは異なる通信チャンネルであることが好ましい。
【００１５】
上記構成をとることにより、２つのデータは別の経路で受信されるため、第２データのデータ量にかかわらず、第１データについて高速な情報通信を行うことができる。
【００１６】
本発明はさらに以下のデータ受信装置を提供する。データ受信装置は、第１データ群を第１通信チャンネル経由で受信し、前記第１データにアクセスした時に第２データ群を第２通信チャンネル経由で強制的に受信し、前記第１データ群を第１再生方法で第１再生データに復元し、前記第２データ群を第２再生方法で第２再生データで復元し、前記第１再生データと前記第２再生データとを同時に同一の画面に表示するデータ受信装置であり、前記第１再生データを前記画面の第１領域に表示し、前記第２再生データを前記画面の第２領域に表示することを特徴とする。
【００１７】
上記構成によると、第１及び第２の再生データがあらかじめ表示されるべき領域が定まっているので、それぞれのデータの内容や種類などに応じて表示領域をその都度決定できる。したがって、再生されるデータの特徴に応じたデータの提供が可能となる。表示領域は第１再生データの内容に基づいて変化するようにしてもよい。
【００１８】
本発明はさらに以下のデータ受信装置を提供する。データ受信装置は、第１データ群を第１通信チャンネル経由で受信し、前記第１再生データにアクセスした時に強制的に第２データ群を第２通信チャンネル経由で受信し、前記第１データ群を第１再生方法で第１再生データに復元し、前記第２データ群を第２再生方法で第２再生データで復元し、前記第１再生データと前記第２再生データとを同時に同一の画面に表示するデータ受信装置であり、前記第２データ群を、蓄積メディアに蓄積し、前記第１通信チャンネル経由で前記第１データ群にアクセスした場合、強制的に前記蓄積された第２データ群を第２再生方法で第２再生データに復元し、第１データ群と前記第２再生データと同時に表示することを特徴とする。
【００１９】
上記構成をとることにより、あらかじめ第２再生データを第２チャンネル経由で受信して蓄積メディアに記憶させておいて、第１データの受信に際して記憶されている第２再生データを蓄積メディアから読み出して強制的に画面に表示させることができる。したがって、第１チャンネルで本来受信されるべきデータが大きいような場合には、広帯域の第２チャンネルを経由して受信させることも可能となり、この場合であってもサービスプロバイダが表示させたい第２再生データが蓄積メディアから再生されて画面上に表示される。
【００２０】
本発明はさらに次のデータ受信装置を提供する。データ受信装置は、前記第１再生データと前記第２再生データとを同時に同一の画面に表示するデータ受信装置であり、第２データ群にデータ識別情報が付加され、前記第１再生データと同時に表示される前記第２再生データのデータ識別情報を、第３通信チャンネル経由でデータ識別情報処理サーバーに伝送することを特徴とする。このとき第３通信チャンネルは第１通信チャンネルであることが好ましい。
【００２１】
また、本本発明は次のデータ配信システムを提供する。データ配信システムは、第２データ群にデータ識別情報が付加され、前記第１再生データと同時に表示される前記第２再生データのデータ識別情報を、第３通信チャンネル経由でデータ識別情報処理サーバーに伝送し、前記サーバーにおいて、前記第２データ群のデータ識別情報にもとづき、第２データ群の提供者の情報を取得し、前記提供者に対し、表示料金を課すことを特徴とする。
【００２２】
また、本発明は、次のデータ受信装置を提供する。データ受信装置は、第１再生データと第２再生データとを同時に同一の画面に表示するデータ受信装置にデータを配信するデータ受信装置であって、前記第１再生データの表示開始時間と表示終了時間を記録し、前記表示開始時間と表示終了時間を第３通信チャンネル経由で情報処理サーバーに送信することを特徴とする。
【００２３】
また、本発明は次のデータ配信システムを提供する。データ配信システムは、前記第１再生データの表示開始時間と表示終了時間を記録し、前記表示開始時間と表示終了時間を第３通信チャンネル経由で情報処理サーバーに送信することを特徴とする。本データ配信システムにおいて、第３通信チャンネルは第１通信チャンネルであることが好ましい。
【００２４】
上記各構成を取ることにより、データ受信装置及びデータ配信システムは受信装置に表示された第２再生データを識別するための情報を識別情報処理サーバーが受信して解析することが可能となる。したがって、受信され画面に表示された第２再生データの内容を把握することができる。したがって、第２再生データが広告などに関するデータである場合、実際に受信装置において再生された時間や、受信回数などのデータを残すことができ、この情報に基づいて広告の提供者に対して課金するシステムとして使用することが可能となる。
【００２５】
上記の第１再生データと第２再生データとを同時に同一の画面に表示する処理、及びデータの表示料金を課す処理は、それぞれこれらの処理のためのプログラムをコンピュータに読み取らせ、コンピュータを用いて実施することができる。そのためのプログラムはコンピュータ読み取り可能な記録媒体に記録される。
【発明の効果】
【００２６】
以上のように本発明によれば、共通のデータ、特に映像などのように広帯域を要するデータを、広帯域のチャンネルで一斉に同放することにより、サービスプロバイダが高品質かつ映像効果の高い広告などのＡＶデータを提供でき、同時に、比較的にデータ量の少ないユーザー個人データは狭帯域のチャンネルでアクセスすることによりユーザーが意図したデータを素早くかつ快適に入手できるという顕著な効果が得られる。
【００２７】
また、ユーザーが見た広告の時間や回数などの情報を得ることができるため、現実に見た広告についてのみの広告料を広告提供者に課金するようにすることもできる。
【発明を実施するための最良の形態】
【００２８】
以下、本発明の実施の形態について、図１から図１１を用いて説明する。
【００２９】
図１は本発明のデータ受信装置を含むデータ配信システムの実施の形態を示すブロック図であり、図１において１００は主に個人のデータを配信する第１サーバー、１０１は共通データを配信する第２サーバー、１０２は第２送信手段（送信アンテナ）、１０３は公衆回線、１０４から１０７は受信端末、１０８から１１１は各受信端末に対応する受信手段（受信アンテナ）である。
【００３０】
第２サーバー１０１は、第２送信手段１０２を経由して、受信端末（１０４〜１０７）に共通なデータを配信するものである。本実施形態では共通データとして、高伝送帯域を必要とする高品質の映像データや、高音質のオーディオデータであり、受信端末に共通に表示される広告やＢＧＭ、ＢＧＶに用いられる。第２送信手段１０２はこれらのデータを送信するためのアンテナである。受信装置（１０４〜１０７）にはハードディスクや他のデジタルデータを記録するための蓄積メディアを具備している。第２送信手段１０２で配信されたデータを実時間で再生表示したり、蓄積メディアに保存したりする。第１サーバー１００は、受信端末を保有するユーザーの個人データ（e-mailや口座データ、購入記録、スケジュール表など）や、ユーザーが検索した結果などを配信するためのサーバーである。すなわち第１サーバーは、ユーザー専用のデータを配信するためのものである。なお、図１には受信装置が４つ描かれているが、これに限るものではない。また、第１サーバー１０１と第２サーバー１００は異なるものではなくて、同じサーバーであってもよい。伝送経路１１２と１１４は同じものでもよい。すなわち、図示の放送網と公衆電話網との併用のかわりに、同じ広帯域の公衆網を用いIPマルチキャストの方法で一斉に配信してもよい。
【００３１】
図１０は、本発明の実施形態によるデータ受信装置で配信されたデータを受信端末に表示した画面の模式図を示す。１０１０は表示画面全体、１０１１は共通データ、１０１２は個人データを表示するための領域である。１０１１は第２表示領域で、１０１２は第１表示領域である。図１０以外のような表示方法であってもよい。本実施の形態では、１０１１の共通データは広帯域の放送網で一斉放送されるために、高画質かつ高映像効果のデータを配信することができ、テレビ並みの広告を配信することができる。一方１０１２には、個人メールの受信画面を示している。メールはテキストデータや静止画像によって構成されるために、データ量は各段と少なく、狭帯域の伝送網でアクセスしてもそんなに時間がかからない。メール以外に、個人のスケジュールや、口座データなどについても同じである。このように、個人データを共通データから分離させ伝送することによって、ユーザーはデータ量が多い映像データなどを表示しながらにして、個人データを快適にアクセスすることができる。
【００３２】
図２は、本発明の実施の形態によるデータ配信システムに用いられる受信端末のブロック図を示す。図２において、２０１はＲＦ変換モジュールで、第２サーバーからの受信信号を０と１からなるデジタル信号に復調する。２０２は第１サーバーに接続するためのモデムである。２０３は受信端末の中央演算装置（ＣＰＵ）、２０４はビデオ・オーディオ信号を復号・再生するためのＡＶデコーダ、２０５はオペレーティングシステム、２０６は複数のコンテンツを一つの画面に合成するための画像合成モジュール、２０７は蓄積メディア（ハードディスク）である。蓄積メディア２０７には、アプリケーションのソフトウェアプログラム２０８、第２サーバーから受信した共通データ２０９、第１サーバーから受信した個人データ２１０が格納される。上述した以外のコンテンツを保存してもよい。
【００３３】
以上のように構成された受信端末について、以下、その動作を述べる。まずＣＰＵ（２０３）に対し、ユーザーが個人データをアクセスしたい指示を出す。ここでは、リモートコントローラーやキーボードを用いてＣＰＵ（２０３）に対して指示を出す。ＣＰＵ（２０３）はその指示を受けて、モデム２０２を経由して第１サーバー（図１の１００）にアクセスする。このようにして受信した個人データ（e-mailなど）は、ＣＰＵ（２０３）がプログラムソフトウェア２０８より取得したアプリケーションソフトを駆動することによって再生される。第１サーバーにアクセスするかわりに、蓄積メディア２０７の個人コンテンツ２１０として格納されたものを再生してもよい。個人データにアクセスすると、ＣＰＵ（２０３）の命令にしたがって、強制的に同時に第２受信手段１０８を経由し、第２データを受信し、受信した信号はＲＦ変換モジュール（２０１）にて、１と０からなるデジタル信号に復調される。この信号はＣＰＵ（２０３）を経由し、ＡＶデコーダ２０４にてオーディオとビデオの信号に再生される。なお、第２サーバーから信号を受信する代わりに、共通コンテンツ２０９として蓄積メディア２０７に格納されたものを再生してもよい。このように再生された個人データと共通データは画面合成モジュール２０６にて、同一の画面に表示されるように合成されて、ライン２１９を経由しモニタに出力される。
【００３４】
図３は、本発明の実施の形態によるデータ配信システムに用いられる受信端末の第１処理の流れ図を示す。ステップ３０２にて、個人データである第１データ群に対してユーザーがアクセスを求めると、まず、ＣＰＵ（図２の２０３）は強制的に第２データ群のアクセスを開始する。第２データ群のアクセスはステップ３１１にて共通データとなる第２データ群を受信し、この第２データ群を第２再生データに再生し（３１２）、画面の第２表示領域に表示する（３１３）。第２データ群の受信と再生表示は連続して行なう。ユーザーが第２サーバーにアクセスしたことを条件として、ステップ３０３に進み、アクセスされた第１データ群（個人データ）を受信し（３２１）、それを第１再生データに再生（３２２）したのちに、画面の第１表示領域に表示する（３２３）。したがって、画面上には第１再生データと第２再生データがそれぞれの表示領域において同時に表示されている。このときの表示領域は第１再生データの内容によってその大きさを変化させることができる。たとえば、第１再生データが電子メールの取り込み中の状態を示すデータである場合には第２再生データの表示領域を大きく設定し表示することができる。そして、取り込みが終了し、第１再生データとして実際にメールの内容を表示する場合には第１再生データの表示領域を大きくするように設定することもできる。この表示領域の大きさ変更の制御はＣＰＵ（図２の２１７）に基づいて行われる。
【００３５】
画面表示がなされた後は、第２データ群のアクセス（表示）が継続され、強制的に常時画面上に表示される（ステップ３０４）。すなわち、第２データ群の受信、再生、画面表示を条件として、第１データ群の受信、再生、画面表示が行われるように処理が進められる（ステップ３０７）。この一連の処理は第１データの再生を中止（ステップ３０５）しない間は継続して繰り返される。ユーザーが個人データである第１再生データの表示を停止した場合（ステップ３０５）は、継続して再生されている第２データ群の受信も自動的に中止される（ステップ３０６）。なお、本実施形態においては第１データ群を第１チャンネルから受信して再生・表示する場合についての処理を説明しているが、第１データ群について蓄積メディア（図２の２１０）に保存されたデータを再生・表示させる場合についても上記と同様の処理を行うことができる。
【００３６】
図４は、本発明の実施の形態によるデータ配信システムに用いられる受信端末の第２処理の流れ図を示す。基本動作は図３に示した処理と同じである。異なる点はステップ４１１である。この第２処理では、第２データ群は蓄積メディア（図２の２０９）に蓄積されたデータを再生・表示する。このことによって、あらかじめ第２データを蓄積メディアに格納しておいて、これを表示させるようにすることもできる。この処理を行うことにより、たとえば、本来狭帯域で受信される第１データに相当するデータが膨大なデータ量である場合、これを広帯域の第２チャンネルを経由して受信させることができ、その間は蓄積メディアに格納されている第２再生データが画面上に表示される。
【００３７】
図５は、本発明の実施の形態によるデータ配信システムに用いられる受信端末の第３処理の流れ図を示す。基本動作は図３と同じである。ここでは、第２データを受信した後に、第２データに付してある識別情報を取り出して記憶する（ステップ５１４）。この識別情報は、表示停止した後に、第１サーバーに送付する（ステップ５０６）。なお、継続して受信されている第２データ群の識別情報が異なるものもあるので、それらを抽出して第１サーバーに送付する。本実施形態においては、第１サーバーへ識別情報を送信するチャンネル（第３チャンネル）は第１チャンネルと同じチャンネルを用いているが、これに限るものではなく、別のチャンネルによってもよい。識別情報の使い方は後述する。
【００３８】
図６は、本発明の実施の形態によるデータ配信システムに用いられる受信端末の第４処理の流れ図を示す。基本動作は図３に示した処理と同じである。異なる点は、ステップ６０６〜６０８である。受信開始する時点で、第２データ群の表示開始時間を測定して記憶する（６０６）。表示停止した後に、第２データ群の表示終了時間を測定して記憶する（６０７）。回線を切る前に、表示開始時間と表示終了時間を第１サーバーに送付する（６０８）。本実施形態においては、第１サーバーへ表示開始時間と表示終了時間を送信するチャンネル（第３チャンネル）は第１チャンネルと同じチャンネルを用いているが、これに限るものではなく、別のチャンネルによってもよい。表示開始時間と表示終了時間の使い方は後述する。
【００３９】
図７は、本発明の実施の形態によるデータ配信システムに用いられる第１サーバー（図１の１００）のブロック図を示す。図７において、７００はコンテンツ管理ソフトのモジュール、７０１はメール送受信サーバー用のソフトモジュール、７０２は中央処理装置（ＣＰＵ）、７０３はオペレーティングシステム、７０４はネットワークのインタフェース、７０５は蓄積メディア（ハードディスク）である。７０６は第２データ群の識別情報に関するデータベース、７０７は第２データ群の提供者及びその口座に関するデータベース、７０８は第２データ群の配信スケジュールに関するデータベース、７０９はユーザーに関するデータベース、７１０はユーザーの着信メールをためるためのデータベースである。
【００４０】
ネットワークインタフェース７０４を経由して第１サーバー１００と端末が情報の送受信を行う。メールの送受信は、ＣＰＵ（７０２）がメールサーバーソフト７０１を駆動し、メールが着信する時に、着信メールをメールデータベース７１０に保存し、ユーザーからメール受信要求があるときに、メールデータベース７１０から該当するメールを相手に配信する。
【００４１】
ネットワークインタフェース７０４を経由して、受信端末から第２データ群の識別情報が送られた時に、ＣＰＵ（７０２）はコンテンツ管理ソフト７００を駆動し、第２データ群の識別子データベース７０６にアクセスし、該当するデータ（広告）及びその提供者を特定する。この情報から、ユーザーはどのデータ（広告）を見たかがわかる。データの提供料金を算出し、提供者に請求する。この処理は図８に示す。ステップ８０１にて第２データ群の識別情報を受信する。ステップ８０２にて、受信した識別情報をもとにデータの提供者を特定する。ステップ８０３では、提供されたデータの長さ及び表示回数（＝識別情報の頻度）より、提供者に対する請求額を算出する。最後に、その請求額を口座に記録し（８０４）、提供者に提供料を支払いを請求する。このようにして、実際にアクセスされたデータ（広告）のみに対して広告料が請求されることになることから、広告提供者は広告の効果を把握しやすくなる。
【００４２】
また、ネットワークインタフェース７０４を経由して、受信端末から第２データ群の表示開始・終了時間が送られた時に、ＣＰＵ（７０２）はコンテンツ管理ソフト７００を駆動し、第２データ群の配信スケジュールデータベース７０８にアクセスし、該当するデータ（広告）及びその提供者を特定する。この情報から、ユーザーはどのデータ（広告）を見たかが特定される。データの提供料金を算出し、データ（広告）の提供者に請求する。この処理は図９に示す。ステップ９０１にて第２データ群の表示開始・終了時間を受信する。ステップ９０２にて、受信した表示開始・終了時間をもとに配信データ及びそのデータの提供者を特定する。ステップ９０３では、提供されたデータの長さ及び表示回数（＝表示時間内の回数はデータベースよりわかる）より、提供者に対する請求額を算出する。最後に、その請求額を口座に記録し（９０４）、提供者に提供料を支払いを請求する。このようにして、実際にアクセスされたデータ（広告）のみに対し広告料が請求されることになる。
【００４３】
図１１は、上記実施の形態の処理を、上記処理のプログラムを格納したフロッピーディスクを用いて、コンピュータシステムにより実施する場合を説明するための図である。
【００４４】
図１１(b) は、フロッピーディスクの正面からみた外観、断面構造、及びフロッピーディスクを示し、図１１(a) は、記録媒体本体であるフロッピーディスクの物理フォーマットの例を示している。フロッピーディスクＦＤはケースＦ内に内蔵され、該ディスクの表面には、同心円状に外周からは内周に向かって複数のトラックＴｒが形成され、各トラックは角度方向に１６のセクタＳｅに分割されている。従って、上記プログラムを格納したフロッピーディスクでは、上記フロッピーディスクＦＤ上に割り当てられた領域に、上記プログラムとしてのデータが記録されている。
【００４５】
また、図１１(c) は、フロッピーディスクＦＤに上記プログラムの記録再生を行うための構成を示す。上記プログラムをフロッピーディスクＦＤに記録する場合は、コンピュータシステムＣｓから上記プログラムとしてのデータをフロッピーディスクドライブを介して書き込む。また、フロッピーディスク内のプログラムにより上記符号化あるいは復号化装置をコンピュータシステム中に構築する場合は、フロッピーディスクドライブによりプログラムをフロッピーディスクから読み出し、コンピュータシステムに転送する。
【００４６】
なお、上記説明では、データ記録媒体としてフロッピーディスクを用いて説明を行ったが、光ディスクを用いても同様に行うことができる。また、記録媒体はこれに限らず、ＩＣカード、ＲＯＭカセット等、プログラムを記録できるものであれば同様に実施することができる。
【図面の簡単な説明】
【００４７】
【図１】本発明の実施の形態によるデータ配信システムを示すブロック図
【図２】本発明の実施の形態によるデータ配信システムに用いられる受信端末を示すブロック図
【図３】本発明の実施の形態によるデータ配信システムに用いられる受信端末の第１処理を示す流れ図
【図４】本発明の実施の形態によるデータ配信システムに用いられる受信端末の第２処理を示す流れ図
【図５】本発明の実施の形態によるデータ配信システムに用いられる受信端末の第３処理を示す流れ図
【図６】本発明の実施の形態によるデータ配信システムに用いられる受信端末の第４処理を示す流れ図
【図７】本発明の実施の形態によるデータ配信システムに用いられる配信サーバーを示すブロック図
【図８】本発明の実施の形態による受信端末の第３処理に対する配信サーバーの処理を示す流れ図
【図９】本発明の実施の形態による受信端末の第４処理に対する配信サーバーの処理を示す流れ図
【図１０】本発明の実施の形態によるデータ配信システムで配信されたデータを受信端末に表示した画面を示す模式図
【図１１】上記実施の形態のデータ配信システムにおける処理をコンピュータシステムにより実現するためのプログラムを格納するためのデータ記憶媒体について説明するための図
【符号の説明】
【００４８】
１００    第１サーバー
１０１    第２サーバー
１０４    端末（データ受信装置）
２０１    ＲＦ変換部
２０２    モデム
２０３    ＣＰＵ
２０４    ＡＶデコーダ
２０５    オペレーションシステム
２０６    画面合成部
２０７    蓄積メディア
２０８    プログラムソフトウェア
２０９    共通コンテンツ
２１０    個人コンテンツ
【図１】
2007104698.tif 000003
【図２】
2007104698.tif 000004
【図３】
2007104698.tif 000005
【図４】
2007104698.tif 000006
【図５】
2007104698.tif 000007
【図６】
2007104698.tif 000008
【図７】
2007104698.tif 000009
【図８】
2007104698.tif 000010
【図９】
2007104698.tif 000011
【図１０】
2007104698.tif 000012
【図１１】
2007104698.tif 000013